(57)【要約】記録担体（１）のトラック（５）にデータを記録する装置及び方法が記載されている。このような装置及び方法に用いられる記録担体（１）もまた記載されている。記録担体（１）は、２つの同一のキーロッカ（７、８）を有する。キーロッカは、記録担体（１）上のデータの使用権に関する暗号化された情報を含む。これらの使用権が更新される必要があるとき、キーロッカが無効化され、新しいキーロッカが書き込まれる。追記型記録担体（１）上の古いキーロッカを無効化することは、高いパワーレベルをもつレーザパルスによって行われることができる。しかしながら、無効化される情報と直接隣り合っているデータはアクセスできなくなる。従って、キーロッカ（７、８）の一部だけが無効化される。この一部は、キーロッカ全体の情報がリストアされることができないように、双方キーロッカ（７、８）の同一の部分である必要がある。キーロッカ（７、８）の情報が同じに配置される状況よりも、少なくとも一方のキーロッカの無効化されるべき情報が、他方のキーロッカの近くに位置付けられる点で、第１のキーロッカ（７）の情報を第２のキーロッカ（８）の情報と異なって配置することによって、隣り合うデータと無効化されるキーロッカの一部と間の距離は増加される。
2005524188.tif 000002
【特許請求の範囲】
【請求項１】
記録担体のトラックにデータを記録する装置であって、前記記録担体が、前記データに関する情報を保有する第１のキーロッカ及び同じ情報を保有する第２のキーロッカを有し、２つの前記キーロッカが前記トラックにおいて互いに隣り合って位置付けられ、前記装置が前記キーロッカを無効化する無効化手段を有する装置であって、
前記無効化手段は、前記第１のキーロッカの情報及び前記第２のキーロッカの情報の同一の部分を無効化することによって前記キーロッカを無効化することができ、
前記キーロッカの前記情報が同じに配置される状況よりも、少なくとも一方のキーロッカの無効化されるべき情報が他方のキーロッカの近くに位置付けられる点で、前記第１のキーロッカの前記情報は、前記第２のキーロッカの前記情報と異なって配置されることを特徴とする装置。
【請求項２】
前記データに関する前記情報は、前記データの使用権に関する情報を含むことを特徴とする、請求項１に記載の装置。
【請求項３】
前記情報は、セクタに分けられており、前記無効化されるべき情報は、各キーロッカについて１つ又は複数のセクタからなることを特徴とする、請求項１及び請求項２のいずれか１項に記載の装置。
【請求項４】
前記第１のキーロッカの削除されるべき情報は、前記第２のキーロッカの削除されるべき情報と直接隣り合っていることを特徴とする、請求項１乃至請求項３のいずれか１項に記載の装置。
【請求項５】
削除されるべき情報は、前記第１のキーロッカの最後の２つのセクタ及び前記第２のキーロッカの最初の２つのセクタによって形成されることを特徴とする、請求項３に記載の装置。
【請求項６】
前記記録担体は、互いに隣り合う２より多くのキーロッカを有し、前記第１のキーロッカ及び前記第２のキーロッカは、２つの最も外側のキーロッカであることを特徴とする、請求項１乃至請求項５のいずれか１項に記載の装置。
【請求項７】
データを記録するトラックを有する記録担体であって、前記データに関する情報を保有する第１のキーロッカ及び同じ情報を保有する第２のキーロッカを有し、２つの前記キーロッカが、前記トラックにおいて互いに隣り合って位置付けられる記録担体であって、
前記キーロッカは、前記第１のキーロッカの情報及び前記第２のキーロッカの情報の同一の部分の無効化を通して無効化されることができ、
前記キーロッカの前記情報が同じに配置される状況よりも、少なくとも一方のキーロッカの無効化されるべき情報が、他方のキーロッカの近くに位置付けられる点で、前記第１のキーロッカの前記情報は、前記第２のキーロッカの前記情報と異なって配置されることを特徴とする記録担体。
【請求項８】
前記データに関する前記情報は、前記データの使用権に関する情報を含むことを特徴とする、請求項７に記載の記録担体。
【請求項９】
前記情報はセクタに分けられており、前記無効化されるべき情報は、各キーロッカについて１つ又は複数のセクタからなることを特徴とする、請求項７及び請求項８のいずれか１項に記載の記録担体。
【請求項１０】
前記第１のキーロッカの削除されるべき情報は、前記第２のキーロッカの削除されるべき情報と直接隣り合っていることを特徴とする、請求項７乃至請求項９のいずれか１項に記載の記録担体。
【請求項１１】
削除されるべき情報は、前記第１のキーロッカの最後の２つのセクタ及び前記第２のキーロッカの最初の２つのセクタによって形成されることを特徴とする、請求項９に記載の記載担体。
【請求項１２】
前記記録担体は、互いに隣り合う２より多くのキーロッカを有し、前記第１のキーロッカ及び前記第２のキーロッカは、２つの最も外側のキーロッカであることを特徴とする、請求項７乃至請求項１１のいずれか１項に記載の記録担体。
【請求項１３】
記録担体のトラックにデータを記録する方法であって、前記記録担体が、前記データに関する情報を保有する第１のキーロッカ及び同じ情報を保有する第２のキーロッカを有し、２つの前記キーロッカが、前記トラックにおいて互いに隣り合って位置付けられ、前記方法が、前記キーロッカを無効化する無効化ステップを含む方法であって、
前記無効化ステップは、前記第１のキーロッカの情報及び前記第２のキーロッカの情報の同一の部分を無効化することによって前記キーロッカを無効化し、
前記キーロッカの前記情報が同じに配置される状況よりも、少なくとも一方のキーロッカの無効化されるべき情報が他方のキーロッカの近くに位置付けられる点で、前記第１のキーロッカの前記情報は、前記第２のキーロッカの前記情報と異なって配置されることを特徴とする方法。
【請求項１４】
前記データに関する前記情報は、前記データの使用権に関する情報を含むことを特徴とする、請求項１３に記載の方法。
【請求項１５】
前記情報はセクタに分けられており、前記無効化されるべき情報は、各キーロッカについて１つ又は複数のセクタからなることを特徴とする、請求項１３及び請求項１４のいずれか１項に記載の方法。
【請求項１６】
前記第１のキーロッカの削除されるべき情報は、前記第２のキーロッカの削除されるべき情報と直接隣り合っていることを特徴とする、請求項１３乃至請求項１５のいずれか１項に記載の方法。
【請求項１７】
削除されるべき情報は、前記第１のキーロッカの最後の２つのセクタ及び前記第２のキーロッカの最初の２つのセクタによって形成されることを特徴とする、請求項１５に記載の方法。
【請求項１８】
前記記録担体は、互いに隣り合う２より多くのキーロッカを有し、前記第１のキーロッカ及び前記第２のキーロッカは、２つの最も外側のキーロッカであることを特徴とする、請求項１３乃至請求項１７のいずれか１項に記載の方法。
【発明の詳細な説明】
【技術分野】
【０００１】
本発明は、記録担体のトラックにデータを記録する装置であって、記録担体が、データに関する情報を保有する第１のキーロッカ（keylocker）及び同じ情報を保有する第２のキーロッカを有し、２つのキーロッカが、トラックにおいて互いに隣り合って位置付けられ、前記装置がキーロッカを無効化する無効化手段を有する装置に関する。
【０００２】
本発明は更に、データを記録するためのトラックを有する記録担体であって、記録担体が、データに関する情報を保有する第１のキーロッカ及び同じ情報を保有する第２のキーロッカを有し、２つのキーロッカが、トラックにおいて互いに隣り合って位置付けられる記録担体に関する。
【０００３】
本発明は更に、記録担体のトラックにデータを記録する方法であって、記録担体が、データに関する情報を保有する第１のキーロッカ及び同じ情報を保有する第２のキーロッカを有し、２つのキーロッカが、トラックにおいて互いに隣り合って位置付けられ、前記方法が、キーロッカを無効化するステップを含む方法に関する。
【背景技術】
【０００４】
著作権で保護された材料の形のデータを一方の記録担体から他方の記録担体にコピーすることがますます容易になるにつれて、そのデータの適切な保護の必要が一層高まっている。データを保護する手法の一例は、いわゆるキーロッカを使用する。キーロッカには、例えば使用権、キー、カウンタ、ディスクのユニークなアイデンティフィケーション又は任意の情報のような、すべての秘密が、タンパフリーなやり方でキーロッカに記憶される。例えば、使用権は、記録担体上のデータを再生し又はコピーする権利でありうる。キーロッカは、いわゆるキーロッカキーによって暗号化される。キーロッカの２又はそれ以上の同一のコピーを記録担体に有することは一般的である。一方のキーロッカが損傷を与えられる場合、他方のキーロッカが使用されることができる。キーロッカは、一般に、互いに隣り合って配置される。
【０００５】
保護されることができるデータの例は音楽である。キーロッカは、音楽を一回コピーするための権利を含むことができる。コピーが作られたのち、キーロッカは更新され、それによってもはやそれ以上コピーが作られることができないことを示す。記録担体が追記型記録担体である場合、又は追記型記録担体の場合と同じようにしてデータが記録担体に書き込まれる場合、キーロッカの更新は、新しいキーロッカを書き込み、古いキーロッカを無効化することによって行われる。追記型記録担体において、無効化は、十分に高いパワーレベルをもつレーザパルスを用いてキーロッカに損傷を与えることによって行われることができる。この無効化に関する問題は、キーロッカと直接隣り合っているデータも損傷を与えられ又はアクセスできなくなることである。データが記録担体にインタリーブされて書き込まれる場合、直接隣り合うデータは損傷を受ける可能性がある。インタリーブされて書き込まれることは、データが、連続的に書き込まれずブロックに書き込まれ、当該ブロックがそれらの間に間隔をもって書き込まれることを意味する。例えば、その間隔は、他のデータの２つ又は３つのブロックでありうる。データが無効化されるとき、インタリーブブロックと一致しないデータのユニットが無効化される。従って、キーロッカと隣り合うデータもまた無効化される。キーロッカが無効化されるとき、以下の理由によって、キーロッカと直接隣り合うデータもまたアクセスできなくなることがある。光学レコーダのような装置が記録担体上の或る目標データにアクセスしようとする場合、当該データの目標アドレスに直接ジャンプするのではなく、目標アドレスの前のアドレスにジャンプする。これは、光学レコーダが、目標データが読み取られる前にセトリングするための時間をとるからである。しかしながら、前のアドレス上のデータが無効化される場合、目標データにはアクセスできない。
【発明の開示】
【発明が解決しようとする課題】
【０００６】
本発明の目的は、隣り合うデータをアクセス不可能にすることなくキーロッカを無効化することができる、データを記録する装置及び方法を提供することである。
【０００７】
更に、本発明の目的は、隣り合うデータをアクセス不可能にすることなく無効化されることができるキーロッカを含む記録担体を提供することである。
【課題を解決するための手段】
【０００８】
この目的のため、冒頭の段落に記載した装置は、無効化手段が、第１のキーロッカの情報及び第２のキーロッカの情報の同一の部分を無効化することによってキーロッカを無効化することができ、キーロッカの情報が同じに配置される状況よりも、少なくとも一方のキーロッカの無効化されるべき情報が他方のキーロッカの近くに位置付けられる点で、第１のキーロッカの情報が、第２のキーロッカの情報と異なって配置されることを特徴とする。冒頭の段落に記載した記録担体は、キーロッカが、第１のキーロッカの情報及び第２のキーロッカの情報の同一の部分を無効化することによって無効化されることができ、キーロッカの情報が同じに配置される状況よりも、少なくとも一方のキーロッカの無効化されるべき情報が他方のキーロッカの近くに位置付けられる点で、第１のキーロッカの情報が、第２のキーロッカの情報と異なって配置されることを特徴とする。冒頭の段落に記載した方法は、キーロッカを無効化するステップが、第１のキーロッカの情報及び第２のキーロッカの情報の同一の部分を無効化することによってキーロッカを無効化し、キーロッカの情報が同じに配置される状況よりも、少なくとも一方のキーロッカの無効化されるべき情報が他方のキーロッカの近くに位置付けられる点で、第１のキーロッカの情報は第２のキーロッカの情報と異なって配置されることを特徴とする。
【０００９】
キーロッカの使用を禁止（以下、ディスエーブル、とする）するためには、キーロッカの一部のみを無効化すれば十分である。すべてのキーロッカの同じ部分がディスエーブルされる場合、キーロッカ全体を取り出すことはできない。しかしながら、例えば両方のキーロッカの第１の部分をディスエーブルすることは、第１のキーロッカの前のデータもディスエーブルする。実際に、キーロッカのために確保される空間は、キーロッカが必要とする空間よりも大きいことがあり、それゆえキーロッカのために確保される空間の最後の部分が使用されないことがあるので、キーロッカの最初の部分をディスエーブルすることが好ましい。最後の部分をディスエーブルすることは、キーロッカ全体の情報がなお取り出し可能であるという結果をもたらす。第１のキーロッカの最初の部分が他の隣り合ったキーロッカのより近くに配置される場合、その最初の部分は、前のデータから離れるので、前のデータは損傷を受けない。これは、無効化ののち、前のデータのより良い完全性を確実にする。一実施例において、キーロッカはデータの使用権を含む。これらの権利は、例えば、データを１回コピーする権利でありうる。
【００１０】
記録装置の一実施例において、第１のキーロッカの削除されるべき情報は、第２のキーロッカの削除されるべき情報と直接隣り合っている。これは、削除されるべき情報が、キーロッカと直接隣り合うデータから可能な限り離れ、それによって隣り合うデータをアクセスできなくする危険性を最小限にするという利点がある。
【００１１】
他の実施例において、キーロッカに含まれる情報は、セクタに分けられる。好適には、無効化されるべき情報の一部は、第１のキーロッカの最後のセクタ及び第２のキーロッカの最初のセクタを含む。
【００１２】
他の実施例において、記録担体は、互いに隣り合う２より多くのキーロッカを有し、第１のキーロッカ及び第２のキーロッカは、２つの最も外側のキーロッカである。ここで、再び、無効化される情報の一部は、隣り合うデータから離れている。この点について、第１のキーロッカと第２のキーロッカとの間のキーロッカの情報の構成は重要でない。
【００１３】
本発明のこれら及び他の態様は、以下の説明において添付の図面を参照して例示によって記載される実施例から明らかであり、それらの実施例を参照して説明される。
【発明を実施するための最良の形態】
【００１４】
図１は、記録担体１、回転手段４及びトランスデューサ２を有する記録システムの実施例を示す。例えば、トランスデューサ２は、光ピックアップユニットでありうる。光ピックアップユニットは、記録担体１によって反射される放射ビーム３を放出する。記録担体１は、この例において、トラック５（図２参照）にデータを含み、トラック５は、放射ビーム３を反射する又は反射しないピットからなりうる。放射ビーム３を結果的に反射し又は反射しないピット以外の物理的要素が、トラック５にデータを記録するために使用されることもできる。反射された放射ビーム３は、トランスデューサによって、記録装置の他の処理手段によって更に処理される信号に変換される。他の処理手段は、例えば、トランスデューサ２からの信号を、オーディオ信号でありうる再生信号に変換する。記録装置は更に、無効化手段２０を有する。無効化手段２０は、キーロッカを無効化するためにトランスデューサ２に接続される。本実施例において、記録システムは、記録担体１を再生することもできる。代替実施例において、記録システムは、記録担体１にデータを記録することができるが、記録担体１を再生することができない。
【００１５】
図２には、いわゆるキーロッカエリア１１を保有するトラック５が示されている。この場合、キーロッカエリア１１は、トラックのプログラムエリアに存在する。プログラムエリアは、ユーザデータ６がトラック５に記憶されるエリアである。この例において、トラック５は更に、未記録エリア１０を有する。こうして、プログラムエリアは、ユーザデータ６、キーロッカエリア１１及び未記録エリア１０を有する。キーロッカエリア１１は、第１のキーロッカ７、第２のキーロッカ８及び詳細情報エリア９からなる。詳細情報エリア９は、適合層パラメータ空間ＡＬＰを含み、イネーブリングキーブロックＥＫＢ及びブラックリストＢＬを有することもできる。ＡＬＰ構造は、キーロッカに対するポインタを有する。ＥＫＢは、秘密の暗号鍵を認可された装置又はＰＣアプリケーションの組に伝えるために使用されるデータ構造である。ＢＬは、無効であると宣言された装置又は他のエンティティの識別子を含むリストである。
【００１６】
図３ａ及び図３ｂは、本発明による記録担体１上のキーロッカ７及び８の２つの例を示す。図３ａにおいて、キーロッカ７及び８は、それぞれ８個のセクタからなる。この例において、それぞれのセクタは、２キロバイトの情報を含む。図３ｂにおいて、キーロッカ７及び８は、それぞれ１６８個のセクタからなる。キーロッカ７及び８に含まれる情報は、通常、暗号化される。暗号化された情報は、セクタ１から始まり最後のセクタまでキーロッカに記憶される。当然ながら、すべてのセクタが、暗号化された情報を含む必要はない。従って、キーロッカが、双方のキーロッカの暗号化された情報の同一の部分を無効化することよって無効化される必要がある場合、無効化すべき最も安全なセクタは、最も低い番号をもつセクタである。この例において、セクタ１及び２が無効化される。図３ａ及び図３ｂに示すキーロッカの暗号化された情報は、第１のキーロッカ７のセクタ１及び２が第２のキーロッカ８のセクタ１及び２と直接隣り合うように配置される。このようにして、無効化されるセクタと、隣り合うデータとの間には６個のセクタがあり、これは、キーロッカの２つのセクタが無効化される必要がある場合のセクタの最大数である。図３ｂにおいて、無効化されるセクタと隣り合うデータとの間にはより多くのセクタがある。これは、キーロッカを無効化したのち、隣り合うデータの完全性を確実にする。当然ながら、他のセクタ及び／又は他の数のセクタが、無効化されることもできる。無効化される必要がある第１のキーロッカ７及び第２のキーロッカ８のセクタは隣り合っている必要はないが、これは、無効化されるセクタと隣り合ったデータとの間に最大数のセクタがあるという利点をもつ。これは更に、セクタが１の連続的なレーザアクションによって無効化されることができるので、無効化プロセスが比較的簡単であるという更なる利点をもつ。
【００１７】
図４は、第１の無効化されたキーロッカ７ｉ及び第２の無効化されたキーロッカ８ｉを含むトラック５の例を示している。更に、詳細情報エリア９ｏはもはや使用されない。２つの新しいキーロッカ７及び８は、トラック５の別の場所に書き込まれる。詳細情報エリア９は新しいキーロッカへのポインタを含むので、新しい詳細情報エリア９もまた書き込まれる。ＥＫＢ及びＢＬが更新される必要がない場合、これらの構造は古い詳細情報エリア９ｏに維持されることができる。この場合、新しい詳細情報エリア９は、ＥＫＢ及びＢＬへのポインタを含む。
【００１８】
図５は、無効化されたセクタと直接隣り合うセクタの一例を示している。図５に示すセクタにおけるデータは、無効化され又は損傷を与えられることを意図されていなかった。しかしながら、隣り合ったセクタ（図５に図示せず）が無効化されたので、図５に示すセクタのデータが偶然に損傷を与えられた。損傷の理由は、データがインタリーブされて書き込まれており、キーロッカの無効化が隣り合ったデータも無効化するからでありうる。セクタのデータは、１６進表現で表されている。ブラックボックスで強調されるデータは、隣り合うセクタの無効化の結果として壊されている。これは、無効化が、損傷を受けないままでなければならないデータと直接隣り合って行われてはならないことを明らかに示している。
【００１９】
本発明は、光学記録装置の実施例を参照して主に説明されているが、記録担体上のデータの無効化が、無効化されるデータと隣り合うデータにも損傷を与えるという特性をもつ記録装置の同様の実施例が適切である。更に、光ディスクが、記録担体について使用されてもよく、又は磁気ディスク又はテープのような他の媒体が使用されてもよい。この文書において、動詞「有する、含む」及びその派生形は、列挙されていない他の構成要素又はステップの存在を排除せず、単数形で表現される構成要素は、このような構成要素の複数の存在を排除せず、いかなる参照符号も特許請求の範囲を制限せず、本発明はハードウェア及びソフトウェアの双方によって実現されることができ、いくつかの「手段」が同じハードウェアアイテムによって表現されることができることに注意されたい。更に、本発明の範囲は、実施例に制限されず、本発明は、上述したそれぞれのあらゆる新しい特徴又はそれらの組み合わせにある。
【図面の簡単な説明】
【００２０】
【図１】記録装置を示す図。
【図２】キーロッカエリア構造の一例を示す図。
【図３ａ】２つの同一のキーロッカの例を示す図。
【図３ｂ】２つの同一のキーロッカの別の例を示す図。
【図４】新しいキーロッカを書き込み、古いキーロッカを無効化するプロセスを概略的に示す図。
【図５】無効化されたセクタと直接隣り合っている壊れたセクタの例を示す図。
【図１】
2005524188.tif 000003
【図２】
2005524188.tif 000004
【図３ａ】
2005524188.tif 000005
【図３ｂ】
2005524188.tif 000006
【図４】
2005524188.tif 000007
【図５】
2005524188.tif 000008
【国際調査報告】
2005524188.tif 000009
2005524188.tif 000010
2005524188.tif 000011